(57)【要約】【課題】少ない水量であっても効果的に広い範囲の洗浄をおこなう。【解決手段】洗浄水を噴出する噴出口１を上面に開口させた洗浄ノズル２を備えた局部洗浄装置である。噴出口１の直下の水路部分に横断面積が噴出方向に対して連続的に減少する振動用水路部３を形成している。【選択図】        図１
2005016113.tif 000002
【特許請求の範囲】
【請求項１】
洗浄水を噴出する噴出口を上面に開口させた洗浄ノズルを備えた局部洗浄装置であって、噴出口の直下の水路部分に横断面積が噴出方向に対して連続的に減少する振動用水路部を形成していることを特徴とする局部洗浄装置。
【請求項２】
洗浄ノズルに導入された洗浄水を複数に分岐させる複数の分岐水路を形成し、各分岐水路の先端部に噴出口を形成していることを特徴とする請求項１記載の局部洗浄装置。
【請求項３】
水路部分の横断面積が噴出方向に対して連続的に減少する上記振動用水路部の上方に噴出口に至る直流水路部を形成していることを特徴とする請求項１または２記載の局部洗浄装置。
【請求項４】
水路部分の横断面積が噴出方向に対して連続的に減少する上記振動用水路部の上方に水路部分の横断面積が噴出方向に対して連続的に増加する開放水路部を形成していることを特徴とする請求項１または２記載の局部洗浄装置。
【請求項５】
洗浄ノズルに洗浄水を導入する導入水路と噴出口に通水する噴出口水路とを連通する連通水路に水路の横断面積が噴出方向に対して不連続に減少した後、不連続に増加する水量補正水路を形成していることを特徴とする請求項１〜４のいずれかに記載の局部洗浄装置。
【請求項６】
噴出口に通水する噴出口水路に水勢にて回転する水車体を設けていることを特徴とする請求項１〜５のいずれかに記載の局部洗浄装置。
【請求項７】
噴出口に通水する噴出口水路に水勢にて揺動する帯状体を設けていることを特徴とする請求項１〜５のいずれかに記載の局部洗浄装置。
【請求項８】
導入水路から噴出口水路に至る水路を通じて水流が最も高速になる部位に大気へ通じる微小孔の空気導入口を設けていることを特徴とする請求項１〜５のいずれかに記載の局部洗浄装置。
【発明の詳細な説明】
【０００１】
【発明の属する技術分野】
本発明は、洗浄水を噴出する噴出口を上面に開口させた洗浄ノズルを備えた局部洗浄装置に関し、詳しくは、少ない水量であっても効果的に広い範囲の洗浄をおこなえるようにしようとする技術に係るものである。
【０００２】
【従来の技術】
従来、人体の局部を洗浄する局部洗浄装置の洗浄ノズルとしては、水流の圧力差を利用して噴射水が左右に発振する流体発振子を利用したものが一部で使われている（例えば特許文献１及び２）。
【０００３】
このような特許文献１及び２の流体発振子ノズルは可動部がなく、シンプルな構造であるためメンテナンスが不要でしかも安価に製造できる。
【０００４】
ところで、図１０に示す特許文献１及び２の洗浄ノズルは、上に開口した噴出口１ａを備え、洗浄ノズル２ａの内部の水路９ａ内に湯水を供給して噴出口１ａから上方へ噴出させ、噴出される湯水によって人体の局部を洗浄するのである。このような洗浄ノズル２ａは、便器に装着される局部洗浄装置から便器内へと進退自在に突設されるノズルパイプ（図示せず）の先端に筒状の接続部１５ａにおいて挿入されて取り付けられるのである。洗浄ノズル２ａ内の噴出口水路９ａは上下方向に形成されて上端に噴出口１ａとして開口し、噴出口水路９ａの両側にフィードバック水路１６ａ，１６ａが連通して形成されている。
ノズルパイプから接続部１５ａを通して噴出口水路９ａ内へと湯水が供給されると、噴出口１ａから噴出範囲θの範囲内で振動しながら洗浄水が噴出されて人体の局部を洗浄するのであり、その際、振動される噴出範囲θに相当する部分が洗浄面積となる。
【０００５】
【特許文献１】
特開平４−１８９５０号公報
【特許文献２】
特開平３−２７９５２５号公報
【０００６】
【発明が解決しようとする課題】
ところで、瞬間加熱式の局部洗浄装置では洗浄水量が制限されるのであり、低流量域（例えば、０．２〜０．５Ｌ／ｍｉｎ：Ｌはリットル）で洗浄効果を発揮するようにするが、上記のようなフィードバック水路１６ａ，１６ａを持つ振動型の洗浄ノズル２ａのものでは噴出口水路９ａの両側のフィードバック水路１６ａ，１６ａに圧力差が生じにくく、更に、わずかな給水の影響で水流の偏りが生じるため、発振が生じなかったり不安定となる傾向にあった。その結果、人体局部の洗浄範囲が小さくなり、洗浄が十分に行なえないという問題があった。
【０００７】
本発明はこのような問題に鑑みてなされたものであり、少ない水量であっても効果的に広い範囲の洗浄をおこなえる局部洗浄装置を提供することを目的とするものである。
【０００８】
【課題を解決するための手段】
請求項１の発明においては、洗浄水を噴出する噴出口１を上面に開口させた洗浄ノズル２を備えた局部洗浄装置であって、噴出口１の直下の水路部分に横断面積が噴出方向に対して連続的に減少する振動用水路部３を形成していることを特徴とするものである。
このような構成によれば、噴出口１の直下の水路部分で、横断面積が噴出方向に対して連続的に減少する振動用水路部３において、噴出方向に対しての流速が水流の中心部と水路壁面近傍とで大きく異なり、乱流が生じる。その結果、噴出口１から噴射される噴流は、例えば、人体前後方向に振動することとなり、低流量域であって洗浄範囲を効果的に広げることができる。
【０００９】
請求項２の発明においては、洗浄ノズル２に導入された洗浄水を複数に分岐させる複数の分岐水路４を形成し、各分岐水路４の先端部に噴出口１を形成していることを特徴とするものである。
【００１０】
このような構成によれば、２以上の複数の噴流を人体局部の、例えば、前後方向にあてることになり、低流量域（例えば、０．２〜０．５Ｌ／ｍｉｎ）であっても洗浄範囲を、一層、広げることができる。
【００１１】
請求項３の発明においては、水路部分の横断面積が噴出方向に対して連続的に減少する上記振動用水路部３の上方に噴出口１に至る直流水路部５を形成していることを特徴とするものである。
このような構成によれば、断面積が連続的に減少する振動用水路部３で乱流が生じ、水流が不安定となった後、一定の断面積となる直流水路部５で噴出口１に至っているので、この直流水路部５では水路の中心部と壁面の水流向きが等しくなって規則正しい層流が生じようとする。その結果、噴出口１からの噴流は脈動しながら水流内の流速分布が一定となり、より強度な衝撃力が得られることとなる。
【００１２】
請求項４の発明においては、水路部分の横断面積が噴出方向に対して連続的に減少する上記振動用水路部３の上方に水路部分の横断面積が噴出方向に対して連続的に増加する開放水路部６を形成していることを特徴とするものである。
【００１３】
このような構成によれば、上記振動用水路部３の上方で水路部分の横断面積が噴出方向に対して連続的に増加する開放水路部６においては水流が壁面に沿ってラッパ状に噴出し、より一層、洗浄範囲を広げることができる。
【００１４】
請求項５の発明においては、洗浄ノズル２に洗浄水を導入する導入水路８と噴出口１に通水する噴出口水路９とを連通する連通水路１０に水路の横断面積が噴出方向に対して不連続に減少した後、不連続に増加する水量補正水路１１を形成していることを特徴とするものである。
このような構成によれば、低水量のため給水時に生じるわずかな水流の偏りが生じたとしても、水路の横断面積が噴出方向に対して不連続に減少した後、不連続に増加する水量補正水路１１において補正されることとなる。
【００１５】
請求項６の発明においては、噴出口１に通水する噴出口水路９に水勢にて回転する水車体１２を設けていることを特徴とするものである。
このような構成によれば、低水量域で給水された水流は水車体１２によって断続的に水勢が抑制され、次に水車体１２の回転に伴って抑制されていた水流が放出される。その結果、噴出口１から出た噴流に脈動が加えられ、断続的に強い噴流が得られることとなる。
【００１６】
請求項７の発明においては、噴出口１に通水する噴出口水路９に水勢にて揺動する帯状体１３を設けていることを特徴とするものである。
このような構成によれば、給水された水流は帯状体１３によって乱流となり噴出口１より脈動となって噴出される。
【００１７】
請求項８の発明においては、導入水路８から噴出口水路９に至る水路を通じて水流が最も高速になる部位に大気へ通じる微小孔の空気導入口１４を設けていることを特徴とするものである。
このような構成によれば、空気導入口１４より空気が良好に混入されて噴出口１より噴出される噴流の見かけのボリュームが増し、噴流の流速が増すため、低水量域であっても十分な洗浄力と洗浄感を得ることができる。
【００１８】
【発明の実施の形態】
以下、本発明の実施の形態を図面に基づいて説明する。図１（ａ）は洗浄ノズルの実施例１の概略断面図、同図（ｂ）は平面図である。図２（ａ）は局部洗浄装置の斜視図、同図（ｂ）は水路系の説明図である。
【００１９】
（実施例１）
図２（ａ）に示す局部洗浄装置Ａは、本体１８に便座１７を備え、便蓋１９を回動自在に設け、本体１８に水道水の給水を受けるための給水弁２０、温水タンク２１、ポンプ２２、ロータリー切り替え弁２３などを内蔵し、更に、洗浄ノズル２としてお尻ノズル２５、ビデノズル２６を出退自在に備え、便器（図示せず）に取り付けられるものである。このような局部洗浄装置Ａにおいては、操作部２４よりの操作信号によって、お尻ノズル２５或いはビデノズル２６もしくは両者を伸張し、設定温度に加温され設定量の温水をロータリー切り替え弁２３にて切り替えて洗浄水として噴出して人体の局部を洗浄するようにしている。図２（ｂ）に上述した水路系を示すが、図示の構成のものに限定されるものでなく、例えば、温水タンクに貯水することなく、水道水を直接に洗浄ノズル２へ給水するようにしてもよい。
【００２０】
図１（ａ）（ｂ）に示すように、お尻ノズル２５及びビデノズル２６としての洗浄ノズル２は筒状の接続部１５においてノズルパイプ２７に差し込まれて接続され、内部の導水水路８が噴出口水路９に連通され、この場合、噴出口水路９は２本に分岐され、各噴出口水路９の先端で洗浄ノズル２の上面に開口して噴出口１が形成されている。
【００２１】
実施例１は請求項１に対応し、噴出口１の直下の水路部分に横断面積が噴出方向に対して連続的に減少する振動用水路部３を形成しているものである。
このような構成によれば、噴出口１の直下の水路部分で、横断面積が噴出方向に対して連続的に減少する振動用水路部３において、噴出方向に対しての流速が水流の中心部と水路壁面近傍とで大きく異なり、乱流が生じるのであり、その結果、噴出口１から噴射される噴流は人体前後方向に振動することとなり、低流量域であっても洗浄範囲を効果的に広げることができるのである。
【００２２】
また、本実施例では噴出口１の中心線Ｙ１と噴出口水路９の中心線Ｙ２とが一致しており、流体は噴出口１より垂直方向に噴出させることができ、より強い衝撃力を得ることができる。
【００２３】
（実施例２）
図３は実施例２を示し、但し、基本的な構成は実施例１と共通であり、共通の部分には同一の符号を付して説明は省略する。
本実施例は請求項１及び２に対応し、しかも、噴出口水路９の中心線Ｙ２が噴出口１の中心線Ｙ１に対して洗浄ノズル２の中心Ｘ側にずれている構造となっている。そのため、噴流は垂直方向より洗浄ノズル２の外側へ角度を持って噴出されて、より広い洗浄面積を得ることができる。
【００２４】
（実施例３）
図４に実施例３を示し、但し、基本的な構成は実施例１と共通であり、共通の部分には同一の符号を付して説明は省略する。
本実施例においては請求項１，２，３に対応し、水路部分の横断面積が噴出方向に対して連続的に減少する振動用水路部３の上方に噴出口１に至る直流水路部５を形成しているものである。
このような構成によれば、断面積が連続的に減少する振動用水路部３で乱流が生じ、水流が不安定となった後、一定の断面積となる直流水路部５で噴出口１に至っているので、この直流水路部５では水路の中心部と壁面の水流向きが等しく規則正しい層流が生じようとする。その結果、噴出口１から得られる噴流は脈動しながら水流内の流速分布が一定となり、より強度な衝撃力が得られることとなる。
【００２５】
（実施例４）
図５に実施例４を示し、但し、基本的な構成は実施例１と共通であり、共通する部分には同一の符号を付して説明は省略する。
【００２６】
本実施例は請求項１，２，４に対応し、水路部分の横断面積が噴出方向に対して連続的に減少する振動用水路部３の上方に水路部分の横断面積が噴出方向に対して連続的に増加する開放水路部６を形成しているものである。
【００２７】
このような構成によれば、振動用水路部３の上方で水路部分の横断面積が噴出方向に対して連続的に増加する開放水路部６において、水流が壁面に沿ってラッパ状に噴出し、より一層、洗浄範囲を広げることができる。
【００２８】
（実施例５）
図６は実施例５を示し、但し、基本的な構成は実施例１と共通であり、共通する部分には同一の符号を付して説明は省略する。
【００２９】
本実施例は請求項１，２，５に対応し、洗浄ノズル２に洗浄水を導入する導入水路８と噴出口１に通水する噴出口水路９とを連通する連通水路１０において、水路の横断面積が噴出方向に対して不連続に減少した後、不連続に増加する水量補正水路１１を形成しているものである。
このような構成によれば、低水量のために給水時に生じるわずかな水流の偏りが生じたとしても、水路の横断面積が噴出方向に対して不連続に減少した後、不連続に増加する水量補正水路１１において補正されることとなる。
この場合、導入水路８からの水路において、噴出口水路９が複数に分岐されていなくても、また、噴出口水路９が２以上の複数に分岐されてもかまわない。また、本実施例の噴出口水路９から噴出口１へ至る断面積の変化は実施例２と同様であるが、この限りでなく実施例１，３，４と同様でもかまわない。
【００３０】
（実施例６）
図７は実施例６を示し、但し、本実施の形態の基本構成は実施例５と共通であり、共通する部分には同一の符号を付して説明は省略する。
【００３１】
本実施例は請求項６に対応し、噴出口１に通水する噴出口水路９に水勢にて回転する水車体１２を設けているものである。具体的には水車軸２８を洗浄ノズル２の対向する側壁２９，２９に適宜の抵抗をもって回転自在に枢支している。
【００３２】
このような構成によれば、低水量域で給水された水流は水車体１２によって断続的に水勢が抑制され、次に水車体１２の回転に伴って抑制されていた水流が放出される。その結果、噴出口１から出た噴流に脈動が加えられ、断続的に強い噴流が得られることとなる。
【００３３】
この場合、噴出口水路９から噴出口１へ至る断面積の変化は実施例５と同様であるが、実施例１〜４の構造であってもかまわない。
【００３４】
（実施例７）
図８に実施例７を示し、但し、本実施の形態の基本構成は実施例５と共通であり、共通する部分には同一の符号を付して説明は省略する。
【００３５】
本実施例は請求項７に対応し、噴出口１に通水する噴出口水路９に水勢にて揺動する帯状体１３を設けているものである。帯状体１３は凹凸部３０を形成した硬質材が好ましい。帯状体１３を保持した軸１３は洗浄ノズル２の対向する側壁２９，２９に回動自在に保持されている。
【００３６】
このような構成によれば、給水された水流は凹凸部３０を形成した帯状体１３の揺動によって乱流となり噴出口１より脈動となって噴出される。その結果、洗浄面積を、一層、広くできる。
【００３７】
この場合、帯状体１３は凹凸部３０を形成していなく、水勢で揺動する軟質材であってもよい。また、噴出口水路９から噴出口１へ至る断面積の変化は実施例５と同様であるが、実施例１〜４の構造であってもかまわない。
【００３８】
（実施例８）
図９に実施例８を示し、但し、本実施の基本構成は実施例５と共通であり、共通する部分には同一の符号を付して説明は省略する。
【００３９】
本実施例は請求項８に対応し、導入水路８から噴出口水路９に至る水路において水流が最も高速になる部位に大気へ通じる微小孔の空気導入口１４を設けているものである。
【００４０】
このような構成によれば、空気導入口１４より空気が混入されて噴出口１より噴出される噴流の見かけのボリュームが増し、噴流の流速が増すため、低水量域であっても十分な洗浄力と洗浄感を得ることができる。この場合、水路形状は実施例５と同じであるがこの限りではない。
【００４１】
【発明の効果】
本発明においては、噴出口の直下の水路部分で、横断面積が噴出方向に対して連続的に減少する振動用水路部において、噴出方向に対しての流速が水流の中心部と水路壁面近傍とで大きく異なり、乱流が生じ、噴出口から噴射される噴流は、例えば、人体前後方向に振動することとなり、低流量域であって洗浄範囲を効果的に広げることができ、少ない水量であっても効果的に広い範囲の洗浄をおこなうことができるという利点がある。
【図面の簡単な説明】
【図１】本発明の実施の形態を示し、（ａ）は洗浄ノズルの実施例１の概略断面図、（ｂ）は平面図である。
【図２】（ａ）は局部洗浄装置の斜視図、（ｂ）は水路系の説明図である。
【図３】同上の実施例２の概略断面図である。
【図４】同上の実施例３の概略断面図である。
【図５】同上の実施例４の概略断面図である。
【図６】同上の実施例５の概略断面図である。
【図７】（ａ）は同上の実施例６の概略断面図、（ｂ）は水車体の拡大図、（ｃ）は拡大平断面図である。
【図８】（ａ）は同上の実施例７の概略断面図、（ｂ）は帯状体の拡大図、（ｃ）は帯状体の取り付けを示す拡大断面図である。
【図９】（ａ）は同上の実施例８の概略断面図、（ｂ）は側面図である。
【図１０】従来例の洗浄ノズルの概略断面図である。
【符号の説明】
１    噴出口
２    洗浄ノズル
３    振動用水路部
４    分岐水路
５    直流水路部
６    開放水路部
７    通水路
８    導入水路
９    噴出口水路
１０  連通水路
１１  水量補正水路
１２  水車体
１３  帯状体
１４  空気導入口
【図１】
2005016113.tif 000003
【図２】
2005016113.tif 000004
【図３】
2005016113.tif 000005
【図４】
2005016113.tif 000006
【図５】
2005016113.tif 000007
【図６】
2005016113.tif 000008
【図７】
2005016113.tif 000009
【図８】
2005016113.tif 000010
【図９】
2005016113.tif 000011
【図１０】
2005016113.tif 000012